(57)【要約】交換可能レンズを有するアイウェアは、細長い中心と、1対のテンプルアームおよび1対の接続部とを含む。各接続部は、一方のテンプルアームにおよび中心部に固定され、かつその表面に形成される溝穴を有する。レンズは、結合部の溝穴に収容され、レンズ上端に沿ったレンズの裏側表面が、間に間隙を形成するように中心部から間隔をおいて配置されている。鼻当ては、レンズの下端に固定されてもよい。2007522527.tif 000003
2007522527.tif 000002
【特許請求の範囲】
【請求項１】
以下を組み合わせて含む、交換可能レンズを有するアイウェア：
細長い中心部；
1対のテンプルアーム；
それぞれが一方のテンプルアームにおよび中心部に固定され、ならびにその表面に形成された溝穴を有する1対の接続部；および
接続部の溝穴に収容されるレンズであって、レンズの上端に沿ったレンズの裏側表面が、間に間隙を形成するように中心部から前方に間隔をおいて配置されるレンズ。
【請求項２】
レンズの下端に鼻当てをさらに含む、請求項1記載のアイウェア。
【請求項３】
鼻当てが逆V型部である、請求項2記載のアイウェア。
【請求項４】
鼻当てがレンズ下端に形成されるくぼみに形成される1対の切り込みに固定される、請求項2記載のアイウェア。
【請求項５】
鼻当てが1対の突起部を含み、各突起部がレンズ下端のくぼみに形成される切り込みとかみ合う、請求項2のアイウェア。
【請求項６】
鼻当てが1対の切頭円柱（frustoconical）突起部を含み、各切頭円柱突起部がレンズ下端のくぼみに形成される切り込みとかみ合う、請求項2記載のアイウェア。
【請求項７】
各切頭円柱突起部が、切頭円柱突起部の基部に対して実質的に垂直に延びている平面を含む、請求項6記載のアイウェア。
【請求項８】
平面がレンズのくぼみの端表面と実質的に同一平面である、請求項7記載のアイウェア。
【請求項９】
鼻当てが1対の平面と1対の切頭円柱部とを含み、各切頭円柱部が、一方の平面から外向きに延び、一方の平面から間隔をおいて配置される基部を有し、かつレンズ下端のくぼみに形成される切り込みとかみ合い、平面がレンズの裏側表面に隣し、平面と切頭円柱部とが協同し、鼻当てをレンズに固定する、請求項2記載のアイウェア。
【請求項１０】
各切頭円柱部が切頭円柱部の基部に対して実質的に垂直に延びている平面を含み、切頭円柱部の平面がレンズのくぼみの端表面と実質的に同一平面である、請求項9記載のアイウェア。
【請求項１１】
鼻当ての裏側表面において複数の後方に延びるひれをさらに含む、請求項2記載のアイウェア。
【請求項１２】
中心部が後方に曲げられる、請求項1記載のアイウェア。
【請求項１３】
レンズが単一のレンズを含む、請求項1記載のアイウェア。
【請求項１４】
中心部が剛性材料から形成される、請求項1記載のアイウェア。
【請求項１５】
中心部が炭素繊維複合材料から形成される、請求項1記載のアイウェア。
【請求項１６】
各テンプルアームが接続部との一体型構造である、請求項1記載のアイウェア。
【請求項１７】
各テンプルアームがβチタンから形成される、請求項1記載のアイウェア。
【請求項１８】
各接続部が中心部との一体型構造である、請求項1記載のアイウェア。
【請求項１９】
各テンプルアームと各接続部が中心部との一体型構造である、請求項1記載のアイウェア。
【請求項２０】
各テンプルアームが蝶番によって接続部に枢動可能に固定される、請求項1記載のアイウェア。
【請求項２１】
各接続部が第1の部分と蝶番によって第1の部分に接続される第2の部分とを含む、請求項1記載のアイウェア。
【請求項２２】
以下を組み合わせて含む、交換可能レンズを有するアイウェア：
細長い中心部；
1対のテンプルアーム；
それぞれが一方のテンプルアームにおよび中心部に固定され、かつその表面において形成される溝穴を有する、1対の接続部；および
上端と、上端の第1の端における第1のつまみと、上端の向かい合った第2の端における第2のつまみとを有するレンズであって、間隙が中心部の外側表面とレンズの上端に沿ったレンズの裏側表面との間に形成されるように、つまみが接続部の溝穴に収容されるレンズ。
【請求項２３】
レンズ下端のくぼみに形成される1対の切込みに固定される逆V型鼻当てをさらに含む、請求項22記載のアイウェア。
【請求項２４】
鼻当てが1対の突起部を含み、各突起部が一方の切り込みとかみ合う、請求項23記載のアイウェア。
【請求項２５】
鼻当てが1対の切頭円柱突起部を含み、各切頭円柱突起部が一方の切り込みとかみ合う、請求項24記載のアイウェア。
【請求項２６】
各切頭円柱部が、切頭円柱部の基部に対して実質的に垂直に延び、レンズのくぼみの端表面と実質的に同一平面である平面を含む、請求項25記載のアイウェア。
【請求項２７】
鼻当てが1対の平面と1対の切頭円柱部とを含み、各切頭円柱部が、一方の平面から外向きに延び、一方の平面から間隔をおいて配置される基部を有し、かつ一方の切り込みとかみ合い、平面がレンズの裏側表面に接し、平面と切頭円柱部とが協同し、レンズに対して鼻当てを固定する、請求項23記載のアイウェア。
【請求項２８】
鼻当ての裏側表面において複数の後方に延びるひれをさらに含む、請求項23記載のアイウェア。
【請求項２９】
中心部が後方に曲げられる、請求項22記載のアイウェア。
【請求項３０】
レンズが単一のレンズを含む、請求項22記載のアイウェア。
【請求項３１】
中心部が剛性材料から形成される、請求項22記載のアイウェア。
【請求項３２】
中心部が炭素繊維複合材料から形成される、請求項22記載のアイウェア。
【請求項３３】
各テンプルアームがβチタンから形成される、請求項22記載のアイウェア。
【請求項３４】
以下を組み合わせて含む、交換可能レンズを有するアイウェア：
細長い中心部；
一対のテンプルアーム；
それぞれが一方のテンプルアームにおよび中心部に固定され、かつその下部面に形成される溝穴を有する、一対の接続部；
下端および上端と、下端に形成されるくぼみと、上端の第1の端における第1のつまみと、上端の向かい合う第2の端における第2のつまみとを有するレンズであって、間隙が中心部の外側表面と接続部間のレンズの上端に沿ったレンズの裏側表面との間に形成されるように、つまみが接続部の溝穴に収容されるレンズ；および
一対のアームから形成される逆V型鼻当てであって、各アームが突起部と平面とを含み、突起部と平面とが協同し、レンズに対して鼻当てを固定するように、各突起部がくぼみに形成される切込みとかみ合い、および各平面がレンズの裏側表面に接している、逆V型鼻当て。
【請求項３５】
以下を組み合わせて含む、交換可能レンズを有するアイウェア：
細長い中心部；
一対のテンプルアーム；
それぞれが一方のテンプルアームにおよび中心部に固定され、かつその表面に形成される溝穴を有する、一対の接続部；および
上端を有するレンズであって、上端の第1の端が一方の接続部に形成される溝穴に収容され、上端の向かい合う第2の端が他方の接続部に形成される溝穴に収容され、その第1の端と第2の端との間のレンズの上端が、間に連続間隙を形成するように、中心部から間隔をおいて配置されるレンズ。
【請求項３６】
レンズの下端に鼻当てをさらに含む、請求項35記載のアイウェア。
【請求項３７】
鼻当てが逆V型部である、請求項36記載のアイウェア。
【請求項３８】
鼻当てがレンズの下端に形成されるくぼみに形成される一対の切り込みに固定される、請求項36記載のアイウェア。
【請求項３９】
鼻当てが一対の突起物を含み、各突起物がレンズの下端のくぼみに形成される切り込みとかみ合う、請求項36記載のアイウェア。
【請求項４０】
鼻当てが一対の切頭円柱突起物を含み、各切頭円柱突起物がレンズ下端のくぼみに形成される切り込みとかみ合う、請求項36記載のアイウェア。
【請求項４１】
各切頭円柱突起部が、切頭円柱突起部の基部に対して実質的に垂直に延びている平面を含む、請求項40記載のアイウェア。
【請求項４２】
平面がレンズのくぼみの端表面と実質的に同一平面である、請求項41記載のアイウェア。
【請求項４３】
鼻当てが一対の平面と一対の切頭円柱部とを含み、各切頭円柱部が、一方の平面から外向きに延び、一方の平面から間隔をおいて配置される基部を有し、かつレンズ下端のくぼみに形成される切り込みとかみ合い、平面がレンズの裏側表面に接し、平面と切頭円柱部が協同し、レンズに対して鼻当てを固定する、請求項36記載のアイウェア。
【請求項４４】
各切頭円柱部が切頭円柱部の基部に対して実質的に垂直に延びている平面を含み、切頭円柱部の平面がレンズのくぼみの端表面と実質的に同一平面である、請求項43記載のアイウェア。
【請求項４５】
鼻当ての裏側表面において複数の後方に延びるひれをさらに含む、請求項36記載のアイウェア。
【請求項４６】
中心部が後方に曲げられる、請求項35記載のアイウェア。
【請求項４７】
レンズが単一のレンズを含む、請求項35記載のアイウェア。
【請求項４８】
中心部が剛性材料から形成される、請求項35記載のアイウェア。
【請求項４９】
中心部が炭素繊維複合材料から形成される、請求項35記載のアイウェア。
【請求項５０】
各テンプルアームがβチタンから形成される、請求項35記載のアイウェア。
【請求項５１】
各テンプルアームが接続部との一体型構造である、請求項35記載のアイウェア。
【請求項５２】
各接続部が中心部との一体型構造である、請求項35記載のアイウェア。
【請求項５３】
各テンプルアームおよび各接続部が中心部との一体型構造である、請求項35記載のアイウェア。
【請求項５４】
各テンプルアームが蝶番によって接続部に枢動可能に固定される、請求項35記載のアイウェア。
【請求項５５】
各接続部が第1の部分と蝶番によって第1の部分に接続される第2の部分とを含む、請求項35記載のアイウェア。
【発明の詳細な説明】
【技術分野】
【０００１】
発明の分野
本発明は、概してアイウェア、特に、風通しをよくした交換可能レンズを有するアイウェアに関する。
【背景技術】
【０００２】
発明の背景
交換可能レンズを有するアイウェアが当技術分野で周知である。ある一定の適用において、アイウェアは様々な照明条件に順応させるための複数の交換可能なレンズを有する。アイウェアは、一般にはシールドレンズと呼ばれる、目の周りをすっぽり包むレンズを搭載してもよい。個人が自転車に乗る、スキーをする、および走るなどの競技運動に没頭している場合に、目の周りをすっぽり包むレンズを有するアイウェアは、個人によって用いられる場合が多い。このようなアイウェアに共通する問題は、このような競技運動時に使用者によって発生する熱と汗が原因でそれらが曇る場合があるということである。
【０００３】
Bolleに付与された米国特許第5,576,775号（特許文献１）は、その上端に沿った湾曲したレンズを支持するフレームを有するアイウェアを開示している。一対のテンプルアームの一方がそれぞれ、フレームの外側に蝶番によって取り付けられる。ボスは、フレームから下向きに延び、かつレンズを収容するそれらの下部面に溝穴を有する。レンズの上端とフレームの下端との間に、各ボス間に、アイウェアに風通しを与えるために間隙をが作られる。
【０００４】
Bolleに付与された米国特許第5,841,505号（特許文献２）は、細長い湾曲フレームを有するサングラスを開示している。湾曲した目の周りをすっぽり包むレンズは、フレームの中央部分に固定される。Bolleのレンズは、レンズの左部分と右部分とに沿ったフレームから間隔をおいて配置され、レンズとフレームとの間に間隙を作る。レンズは複数のねじによってフレームに固定される。Bolleのレンズの交換にはドライバーと複数の小さいねじが必要である。
【０００５】
本発明の目的は、先行の周知の考案物に固有の困難さの一部またはすべてを低減するまたは克服する交換可能レンズを有するアイウェアを提供することである。本発明の特定の目的および利点は、本発明の以下の開示およびある特定の好ましい態様の詳細な説明に鑑みて、当業者、すなわち、本技術分野において精通するまたは経験豊かな人には明らかであると思われる。
【特許文献１】米国特許第5,576,775号
【特許文献２】米国特許第5,841,505号
【発明の開示】
【０００６】
概要
本発明の原理は、レンズの簡単な交換および風通しをよくすることを容易にする構造を持つアイウェアを提供するために効果的に用いることができる。
【０００７】
第1の局面に従って、交換可能レンズを有するアイウェアは、細長い中心部と、一対のテンプルアームと、一対の接続部とを含む。各接続部は、一方のテンプルアームにおよび中心部に固定され、かつその表面において形成される溝穴を有する。レンズは、接続部の溝穴に収容され、レンズの上端に沿ったレンズの裏側表面が、間に間隙を作るように中心部から前方に間隔をおいて配置されている。
【０００８】
もう1つの局面に従って、交換可能レンズを有するアイウェアは細長い中心部と、一対のテンプルアームと、一対の接続部とを含む。各接続部は、一方のテンプルアームにおよび中心部に固定され、かつその表面に形成される溝穴を有する。レンズは、上端と、上端の第一の端における第1のつまみと、上端の向かい合う第2の端における第2のつまみとを有する。間隙を中心部の外側表面とレンズの上端に沿ったレンズの裏側表面との間に作るように、レンズのつまみは、接続部の溝穴に収容される。
【０００９】
さらなる局面に従って、交換可能レンズを有するアイウェアは、細長い中心部と、一対のテンプルアームと、一対の接続部とを含む。各接続部は、一方のテンプルアームにおよび中心部に固定され、かつその下部面に形成される溝穴を有する。レンズは、下端と上端とを有する。くぼみは、レンズの下端に形成される。第1のつまみは、上端の第1の端に設けられ、ならびに第2のつまみは、上端の向かい合う第2の端に設けられる。間隙を中心部の外側表面と接続部間のレンズの上端に沿ったレンズの裏側表面との間に作るように、第1と第2のつまみは、接続部の溝穴に収容される。逆V型鼻当ての各アームは、突起部と平面とを含む。突起部と平面とが協同し、レンズの鼻当てを固定するように、各突起部はくぼみの切り込みとかみ合い、ならびに、各平面はレンズの裏側表面に接している。
【００１０】
さらにさらなる局面に従って、交換可能レンズを有するアイウェアは、細長い中心部と、一対のテンプルアームと、一対の接続部とを含む。各接続部は、一方のテンプルアームにおよび中心部に固定され、かつその表面に形成される溝穴を有する。レンズは、上端を有し、一方の接続部に形成される溝穴に収容される上端の第1の端を持つ。上端の向かい合う第2の端は、一方の接続部に形成される溝穴に収容される。その第1の端と第2の端との間のレンズ上端は、間に連続的間隙を形成するように、中心部から間隔をおいて配置される。
【００１１】
実質的な利点は、本発明の好ましい態様に従って、このような交換可能レンズを有するアイウェアを提供することによって得られる。特に、本発明の好ましい態様に従って交換可能レンズを有するアイウェアは、風通しを増し、レンズが曇る機会を減らすことを提供する。これは、使用者が携わる運動を中止する必要がないので彼らのレンズを曇らせない（clear）ことにかなり都合がよく、これにより視界および安全性が増す。
【００１２】
本明細書で開示される本発明のこれらのおよび追加の特徴と利点は、ある一定の好ましい態様についての以下の詳細な開示によりさらに理解されると思われる。
【００１３】
添付の参照される図面は、含まれる原理を例示する本発明の示しているものを、必ずしも一定の基準で決める（scale）ために作成されたものではなく、提示するものであると理解されるべきである。図面において図示された交換可能レンズを有するアイウェアの特徴には、説明および理解を容易にするために、他と比較して詳しく説明されたまたは曲解されたものもある。同じ参照番号は、様々な代替態様において示される同様のまたは同一の構成要素および特徴のために図面において用いられる。本明細書で開示される交換可能レンズを有するアイウェアは、ある程度、用いられる意図された適用および環境によって決められる形状と構成要素とを有すると考えられる。
【００１４】
一定の好ましい態様の詳細な説明
本発明は、様々な様式で具体的に示されることができる。アイウェア10の好ましい態様は、図1〜3に示される。ある一定の好ましい態様において、アイウェア10はサングラスである。特に、本明細書に示される態様は、典型的には自転車乗りおよびランナーによって使用される高性能サングラスについての本発明の使用を説明する。しかし、アイウェア10が、例えばクリアレンズを有する処方箋による眼鏡および保護眼鏡（safety glasses）を含む、すべての種類の眼鏡を含むことを意味することを認識されるべきである。
【００１５】
本明細書で用いられるある一定の方向上の用語は、アイウェア10の着用者に対する方向を意味する。従って、本明細書で用いられる外側の、外側に、前方の、および前方にという用語は、アイウェア10の着用者の顔面からそれた面、またはその顔面から離れて延びる方向を意味する。内側に向かう、内側に、裏側の、および後方にという用語は、アイウェア10の着用者の顔面に向いている面、またはその顔面に向かって延びる方向を意味する。
【００１６】
アイウェア10は、フレーム12とフレーム12に固定されるレンズ14とを含む。フレーム12は、細長い中心部16を含む。好ましい態様において、中心部16は、アイウェア10の着用者の額の輪郭に合うように後方に曲げられる。中心部16は、剛性材料、例えば炭素繊維複合材料などの繊維強化材料から形成され、剛性構造およびレンズ14の支持体を提供してもよい。他の態様において、中心部16は、プラスチック、または金属またはプラスチックなどのゴムで被覆された芯材料で形成されてもよい。中心部16に適した他の材料は、本開示の恩典を受ける当業者には容易に明らかであると思われる。本明細書で図示されるように、中心部16は、実質的に円柱形であるが、中心部16が任意の断面図を有してもよいことが認識されるべきである。
【００１７】
一対のテンプルアーム18のそれぞれは、接続部20を介して中心部16に接続される。各テンプルアーム18の第1の端22は、接続部20の第1の端26におけるはめ込み用くぼみ25によって収容される突起部24を含む。突起部24は、接続部20のくぼみ25によってスナップフィット式で収容されてもよい。さらに、突起部24は、接続部20にテンプルアーム18をさらに固定するために、接着剤によってくぼみ25に固定されてもよい。例示の態様において、突起部24およびくぼみ25は、実質的に円柱状であるが、突起部24とくぼみ25のための他の形状は、本発明の範囲内であると考慮される。
【００１８】
ある一定の好ましい態様において、突起部は、または各テンプルアーム18の第1の端22に形成される対応するくぼみとともに、各接続部20の第1の端26に形成されてもよいことが理解されるべきである。テンプルアーム18の接続部20への固定の他の方法は、本開示の恩典を受ける当業者には容易に明らかであると思われる。
【００１９】
テンプルアーム18および接続部20は、例えば、プラスチック、または金属またはプラスチックなどのゴム被覆の芯材料を含む、任意の適切な材料から形成されてもよい。ある一定の好ましい態様において、テンプルアーム18および接続部20は、βチタンなどの可撓性の弾性材料から形成される。他の態様において、テンプルアーム18および接続部20は、繊維強化材料、例えば炭素繊維複合材料などの剛性材料から形成されてもよい。テンプルアーム18および接続部20に適した他の材料は、本開示の恩典を受ける当業者には容易に明らかであると思われる。
【００２０】
ある一定の好ましい態様において、テンプルアーム18および接続部20は、一体型の、すなわち一体化された構造から形成されてもよいことが理解されるべきである。他の態様において、接続部20および中心部16は、一体型構造であってもよい。さらに他の態様において、テンプルアーム18、接続部20および中心部16は、一体型構造であってもよい。
【００２１】
中心部16の各端は、接続部20に固定される。例示される態様において、突起部30は、中心部16の各端に形成され、各突起部30が接続部20の中心部分において形成されるはめ込み用くぼみ32に収容されている。突起部30は、接続部20においてくぼみ32によってスナップフィット式で収容されてもよい。さらに、突起部30は、接続部20に中心部16をさらに固定するために接着剤によってくぼみ32内に固定されてもよい。例示の態様において、突起部30およびくぼみ32は、実質的に円柱状であるが、突起部30およびくぼみ32のための他の形状は、本発明の範囲内であることが考慮される。
【００２２】
ある一定の好ましい態様において、突起部は、または、中心部16の端において形成される対応するくぼみとともに、各接続部20に形成されてもよいことが理解されるべきである。中心部16の接続部20への固定の他の方法は、本開示の恩典を受ける当業者には容易に明らかであると思われる。
【００２３】
レンズ14は、接続部20を介してフレーム12に固定される。第1のつまみ34が、レンズ14の上端36の第1の端35において形成され、かつ第2のつまみ37がレンズ14の向かい合う第2の端39において形成される。各接続部20は、図4においてよりはっきりと見られるように、その下部面において形成される溝28を有する。例示の態様において、各つまみ34、37が対応する溝38とかみ合い式でかみ合うように、溝38はつまみ34、37の鏡像である。レンズ14は、つまみ34、37を溝38に押しつけることによって容易に接続部20とのかみ合わせに入れられることができ、かつ溝38からつまみ34、37を引っ張ることによってこのようなかみ合わせから引き抜かれることができ、これによって、使用者がレンズ14を代替のまたは交換可能なレンズとかなり迅速にかつ容易に交換することを可能にする。
【００２４】
図2〜3において見られるように、レンズ14の上端36が、レンズ14が接続部20に固定される第1の端と第2の端、35、39の間の上端36の長手方向に伸びる連続間隙40によって、中心部16から間隔をおいて配置されるように、レンズ14は接続部20に固定される。間隙40は、レンズ14と中心部16との間のアイウェア10に風通しを与え、レンズ14が曇る機会を減らす。本発明の好ましい態様は、自転車に乗るおよびランニングなどの競技運動時に使用者によって用いられることが多いので、これはかなり都合がよい。レンズが曇ることは、競技運動時に不快である可能性があることだけでなく、例えば自転車乗りが競走している場合、および視界が重要になりうる場合など、それは場合によっては危険である可能性がある。
【００２５】
ある一定の好ましい態様において、上端36に沿ったレンズ14の裏側表面41は、接続部20間の上端36の長手方向に延びる間隙40によって中心部16から前方へ間隔をおいて配置される。図3において見られるように、間隙40は、空気、特に熱くなった空気を矢印Aの方向に自由に上向きに通させる。間隙40を中心部16の外側とレンズ14の裏側表面41との間に置くように、アイウェア10を組み立てることによって、レンズ14を上向きに通る妨げるものがないよく見える通り道が提供される。妨げるものがない通り道を与え、熱くなった空気がレンズ14のそばを通って上向きに流れることによって、レンズ14が曇る傾向がさらに低減される。
【００２６】
好ましい態様において、鼻当て42は、レンズ14の中央下部に固定される。図1〜3において図示された態様において、逆V型のくぼみ44は、レンズ14の中央下部に形成される。切り込み46は、くぼみ44のそれぞれの側に形成され、ならびに鼻当て42は、切り込み46によってレンズ14に固定される。図5においてより明確に見られるように、鼻当て42は、一対のアーム48を有する逆V型部である。それぞれのアーム48の先端49は、前方に向き、かつ前方に面している平面50で終わる。突起部52は、それぞれの平面50から延びている。好ましい態様において、突起部52は、平面50から間隔をおいて配置された基部54を有する切頭円柱（frustoconical）部であり、かつ平面50と実質的に平行であり、平面50の一部は切頭円柱突起部52の最上面を形成している。各突起部52は、基部54から平面50まで延びる平面56を含み、かつ基部54に対して実質的に垂直である。
【００２７】
鼻当て42が、図3において見られるように、レンズ14に固定される場合、それぞれの面50は、くぼみ44に隣接するレンズ14の裏側表面に接し、ならびに各突起部52は、対応する切り込み46によって収容され、これによってレンズ14を捕捉し、かつ鼻当て42をレンズ14に固定する。平面56は、くぼみ44に沿ったレンズ14の端と実質的に同一平面である。鼻当て42を取り外すために、使用者は、アーム48をつかみ、それを共に押し込み、これによって突起部52を切り込み46とのそれらのかみ合わせから外す。
【００２８】
好ましい態様において、後方に延びている複数のひれ58は、各アーム48の裏側表面に形成される。アイウェア10を使用者がかけた場合、ひれ58は、使用者の鼻の鼻柱に置かれ、かつ、鼻当て42に確実にしっかりつかむ面を与え、アイウェア10が使用者の鼻から滑り落ちる機会を減らす。ひれ58もまたさらに風通しを与える。鼻当て42は、良好なグリップを提供することに役に立つゴム、プラスチック、または他の任意の適切な材料から形成されてもよい。
【００２９】
テンプルアーム18が蝶番60を介して接続部20に枢動可能に固定される、別の好ましい態様は、図6に示される。例示の態様において、各蝶番60は、テンプルアーム18におよび接続部20に形成された開口部（示していない）を通って延びるピン62を含む。
【００３０】
図7に示される別の態様において、接続部20が蝶番68によって互いに枢動可能に接続される第1の部分64と第2の部分66から形成されてもよい。例示の態様において、蝶番68は、第1の部分64と第2の部分66において形成される開口部（示していない）によって収容されるピン70を含む。
【００３１】
本発明の上記の開示および好ましい態様の説明を鑑みて、本技術分野の当業者には、様々な改変および適応が本発明の範囲および精神から逸脱することなくなされうることが容易に理解されると思われる。すべてのこのような改変と適応は、特許請求の範囲により含まれることが意図される。
【図面の簡単な説明】
【００３２】
【図１】本発明に従って、組み立てられていない状態にある交換可能レンズを有するアイウェアの好ましい態様の分解組立図である。
【図２】組み立てられた状態にある図1のアイウェアの上部の平面図である。
【図３】組み立てられた状態にある図1のアイウェアの側面図である。
【図４】はめ込み前を示す図1のアイウェアのレンズ部分および接続部の側面図である。
【図５】図1のアイウェアの鼻当ての透視図である。
【図６】本発明のアイウェアの代替態様の上部の平面図である。
【図７】本発明のアイウェアのもう1つの態様の上部の平面図である。
【図１】
2007522527.tif 000004
【図２】
2007522527.tif 000005
【図３】
2007522527.tif 000006
【図４】
2007522527.tif 000007
【図５】
2007522527.tif 000008
【図６】
2007522527.tif 000009
【図７】
2007522527.tif 000010
【国際調査報告】
2007522527.tif 000011
2007522527.tif 000012
2007522527.tif 000013